(57)【要約】【課題】特に複雑な構造を有しなくても、開封後において宣伝効果を持続させながら資源の有効利用を図ることができ、かつ消費者に対して開封を誘発させることができる封筒を提供する。【解決手段】封筒１０は下から順に挿入部１６、底面部１８、印刷表示部２０、及び宛先表示部２２から構成され、封筒１０の横方向には第１〜３の折り目線２４，２８，３０が破線で印字される。挿入部１６の両端には第４の折り目線２６，２６が破線で印字され、印刷表示部２０には宣伝広告３２及びカレンダー３４が印字される。また、宛先表示部２２には、透明なフィルム材で構成された窓３６が設けられると共に、切手３８及び宣伝広告３２が表示される。【選択図】      図１
0003102504.tif 000002
【実用新案登録請求の範囲】
【請求項１】
組み立てて直立させることのできる封筒であって、
前記封筒の上端開封口に挿入する挿入部を前記封筒下端との間に形成する第１の折り目線と、
組み立てた後に２等辺三角形の底辺を構成する底面部を前記第１の折り目線との間に形成する第２の折り目線と、
前記第２の折り目線から前記封筒上端までを２等分し、組み立てた後に２等辺三角形の２辺を構成する宛先表示部と印刷表示部とを形成する第３の折り目線と、を前記封筒の横方向に表示し、前記封筒を前記第１から第３の折り目線の位置で折り曲げて前記挿入部を前記開封口に挿入することにより前記封筒を直立可能とすると共に、前記印刷表示部にはカレンダーが少なくとも印刷されていることを特徴とする封筒。
【請求項２】
前記印刷表示部には、前記カレンダーと共に宣伝広告が印刷されていることを特徴とする請求項１に記載の封筒。
【請求項３】
前記各折り目線は、破線で表示することを特徴とする請求項１又は２に記載の封筒。
【請求項４】
前記挿入部の両端部には、該両端部を内側方向に折曲する第４の折り目線を備え、該第４の折り目線を破線で表示させることを特徴とする請求項１〜３の何れか１に記載の封筒。
【請求項５】
前記宛先表示部には、透明性を有するフィルムを備えた窓が形成されていることを特徴とする請求項１〜４の何れか１に記載の封筒。
【考案の詳細な説明】
【技術分野】
【０００１】
本考案は封筒に係り、特に宣伝広告用のダイレクトメールや広告雑誌等の郵送や配布に使用される封筒に関する。
【背景技術】
【０００２】
商業分野における販売促進のためにダイレクトメール等の配布が多く用いられている。このとき、複数枚から構成されるダイレクトメールや、広告雑誌等を郵送及び配布する場合には、封筒に内包した状態で消費者の手に渡る。
【０００３】
従来、こうした用途の封筒には様々な創意工夫がなされており、封筒の外面に宣伝広告等を表示させて宣伝効果を向上させる方法が多く採用される。また、特許文献１のように、透明なフィルム材を素材とした封筒を用いることにより、中身を表示させて斬新性を保有させるようにしている。さらに、特許文献２では、はさみ等を使用しなくても容易に開封できるダイレクトメール用の封書が開示されている。
【特許文献１】実願平７−９３７２号公報
【特許文献２】実願平８−７９５６号公報
【考案の開示】
【考案が解決しようとする課題】
【０００４】
しかしながら、開封された後の封筒は廃棄されてしまうため、資源の有効利用という点では必ずしも優れているとはいえない。
【０００５】
また、消費者にとって必要のないダイレクトメール等は開封されずにそのまま廃棄される可能性があるため、販売促進としての宣伝効果を達成できないという問題があった。
【０００６】
本考案はこのような事情に鑑みてなされたもので、特に複雑な構造を有しなくても、開封後において宣伝効果を持続させながら資源の有効利用を図ることができ、かつ消費者に対して開封を誘発させることができる封筒を提供することを目的とする。
【課題を解決するための手段】
【０００７】
請求項１に記載の考案は前記目的を達成するために、組み立てて直立させることのできる封筒であって、前記封筒の上端開封口に挿入する挿入部を前記封筒下端との間に形成する第１の折り目線と、組み立てた後に２等辺三角形の底辺を構成する底面部を前記第１の折り目線との間に形成する第２の折り目線と、前記第２の折り目線から前記封筒上端までを２等分して組み立てた後に２等辺三角形の２辺を構成する宛先表示部と印刷表示部とを形成する第３の折り目線と、を前記封筒の横方向に表示し、前記封筒を前記第１から第３の折り目線の位置で折り曲げて前記挿入部を前記開封口に挿入することにより前記封筒を直立可能とすると共に、前記印刷表示部にはカレンダーが少なくとも印刷されていることを特徴とする。
【０００８】
本考案によれば、封筒を開封した後、第１から第３の折り目線の位置で折り曲げて封筒の下端に設けられた挿入部を開封した開封口に挿入する。そして、底面部を底辺にして机上等に直立させる。これにより、２等辺三角形の一方の辺にカレンダーが印刷された卓上カレンダーを簡単に組み立てることができる。封筒の何れかの場所には、封筒の送り主である会社名や電話番号等の宣伝広告が印刷されているので、封筒を卓上カレンダーとして使用されている間は、その宣伝効果を持続させることができる。
【０００９】
請求項２は請求項１において、前記印刷表示部には、前記カレンダーと共に宣伝広告が印刷されていることを特徴とする。宣伝広告をカレンダーが印刷されたと同じ印刷表示部に印刷することにより、カレンダーを見るたびに宣伝広告も目に触れるので、一層宣伝広告効果を上げることができる。
【００１０】
請求項３は請求項１又は２において、前記各折り目線は、破線で表示することを特徴とする。
【００１１】
印刷表示部にカレンダーが印刷させ、折り曲げる箇所に折り目線を破線で表示させることにより、封筒が卓上カレンダーとして利用できることを消費者に認識させることができる。このため、消費者に対して封筒の開封を誘発させることができるので、内包されたダイレクトメールや広告雑誌等を消費者の目に触れさせることができる。これにより、消費者に対する宣伝効果を向上させることができる。また、折り目線を破線で表示させることにより、封筒の表面上に目立ち難くでき、かつ消費者に対して折り目線であることを認識し易くすることができる。
【００１２】
請求項４は請求項１〜３の何れか１において、前記挿入部の両端部には、該両端部を内側方向に折曲する第４の折り目線を備え、該第４の折り目線を破線で表示させることを特徴とする。
【００１３】
一般的な封筒は上端と下端の幅は同じ長さであるため、挿入部を開封口に挿入する作業に手間を要する可能性がある。そこで、挿入部の両端部に破線の第４の折り目線を表示して、第４の折り目線に従って挿入部の両端を封筒の中心方向に折曲させることにより、挿入部を開封口に挿入する作業を容易にすることができる。
【００１４】
請求項５は請求項１〜４の何れか１において、前記宛先表示部には、透明性を有するフィルムを備えた窓が形成されていることを特徴とする。
【００１５】
これにより、内包するダイレクトメール等に印字された宛先を窓を介して表示させることができるので、封筒に宛先を表示させるのに要する手間やコストを低減できる。また、開封した後は、写真やイラストなどを窓から見えるように封筒の中に入れてから、各折り目線を折曲させて挿入部を開封口に挿入すれば、フィルム面に写真やイラストなどを表示した卓上スタンドとしても利用することができる。これにより、資源の有効利用を促進できる上、宛先表示部に宣伝広告を表示しておけば、宣伝効果をより長く維持することができる。
【考案の効果】
【００１６】
以上説明したように本考案に係る封筒において、封筒を複雑な構成や構造を備えさせなくても、各種宣伝広告を表示させた卓上カレンダーとして再利用することができる。これにより、手間やコストを要することなく宣伝効果を持続させることができるとともに、消費者に対して開封を誘発させることができる。
【考案を実施するための最良の形態】
【００１７】
以下添付図面に従って本考案に係る封筒の好ましい実施の形態について詳説する。
【００１８】
図１は、本考案の実施の形態である封筒１０の構成を示した図であり、図１（Ａ）は正面から見た図であり、図１（Ｂ）は背面から見た図である。
【００１９】
同図の如く、封筒１０は、紙、布、不織布、又はフィルム等の材質で構成された一枚のシート材を折り畳んで接着することにより袋状に形成される。封筒１０の上端には開封口１２が形成され、配布するダイレクトメールや広告用チラシ、広告雑誌、アンケート用紙等が封筒１０の内部に収納される。開封口１２の上部には封印片１４が設けられ、下方向に折り畳んで裏面に接着させることにより、封筒１０が封印される。なお、封印片１４は、接着面にシール式の接着剤を設けて接着し易くしてもよいし、ミシン線を設けて開封し易くしてもよい。また、図１の封印片１４は封筒１０の幅よりも狭く形成されているが、特に限定するものではない。封印片１４を封筒１０の幅よりも狭く形成すれば、封筒１０の材料を節約できる上、封筒１０を封印及び開封する作業を簡素化できる。
【００２０】
図１（Ａ）に示すように、封筒１０は下から順に挿入部１６、底面部１８、印刷表示部２０、及び宛先表示部２２から構成され、封筒１０の横方向には第１〜３の折り目線２４，２８，３０が破線で印字されている。
【００２１】
挿入部１６は第１の折り目線２４から封筒１０の下端までの間に形成され、その両端には第４の折り目線２６, ２６が破線で印字される。
【００２２】
底面部１８は、第１の折り目線２４から第２の折り目線２８までの間に形成され、宛先表示部２２及び印刷表示部２０を安定して直立できる大きさであることが好ましい。
【００２３】
印刷表示部２０は、第２の折り目線２８から第３の折り目線３０までの間に形成され、宣伝広告３２及びカレンダー３４が印字されている。カレンダー３４は、図１（Ａ）で示した３カ月分の月表示のものに限定されるものではなく、年間のカレンダーを表示させてもよい。
【００２４】
宛先表示部２２は、第２の折り目線２８から封印片１４までの間に印刷表示部２０と同じ大きさで形成される。宛先表示部２２の一部には、切り抜かれた箇所に透明なフィルム材を貼り付けて構成された窓３６が設けられており、内包された紙に印字された宛先等を表示させる。また、宛先表示部２２には、切手３８と宣伝広告３２が印字される。なお、宣伝広告３２の形状や大きさ、個数等は限定するものでなく、外観を損ねずに郵送可能な状態であればよい。また、宣伝広告３２に表記される文字、数字等は逆の向きになるように記載することが好ましい。
【００２５】
次に、上記の如く構成された本考案の封筒１０を組立て方法について説明する。
【００２６】
図２は、本考案の実施の形態である封筒を折曲させた状態を示した斜視図である。
【００２７】
図２に示すように、封筒１０を第１〜４の折り目線２４，２６，２８，３０を山折り方向に折曲させてから、挿入部１６を開封口１２に挿入させる。このとき、挿入部１６の両端は第４の折り目線２６，２６に従って折曲されているため、開封口１２に挿入する作業を簡易に行なうことができる。
【００２８】
こうして組み立てられた封筒１０の底面部１８を下にして机上に設置すれば、印刷表示部２０及び宛先表示部２２を２辺とする２等辺三角形が形成される。したがって、図３に示したように、印刷表示部２０の方向から見たときにはカレンダー３４を表示した卓上カレンダーとして利用することができる。また、図４に示すように、封筒１０の中に写真５０を入れて、窓３６に表示させる位置に設置すれば、宛先表示部２２の方向から見たときには写真５０を表示させる卓上スタンドとして利用することができる。これにより、資源の有効利用を促進することができる。また、特に複雑な構造を有した封筒１０でなくても卓上カレンダー及び卓上スタンドに組み立てる作業を簡単に行なうことができるので、封筒１０への加工に要する手間やコストを低減できる。
【００２９】
また、印刷表示部２０及び宛先表示部２２には宣伝広告３２が表示されているため、消費者が封筒１０を卓上カレンダー及び卓上スタンドとして利用している間、その宣伝効果を持続させることができる。特に、宛先表示部２２は文字等が逆向きに印字されているため、卓上スタンドとして利用する際に宣伝広告３２の内容を視認し易くすることができる。
【００３０】
ところで、ダイレクトメールや広告等を内包した封筒１０は、消費者にとって内容に関心がないと、開封されずに封筒１０のまま破棄されてしまう場合が多い。そのため、販売促進としての宣伝効果を発揮させることができない。本考案の封筒１０では、利用価値のあるカレンダー３４が表示されている上、各折り目線２４，２６，２８，３０が破線で印字されている。これにより、封筒１０を各折り目線２４，２６，２８，３０に従って折曲させると卓上カレンダーとして利用できることを消費者に示唆することができる上、封筒１０として利用する際に目立ち難くすることができる。したがって、消費者に対して封筒１０の開封を誘発させて、内包されたダイレクトメールや広告等を消費者の目に触れさせることができるので、その宣伝効果を発揮させることができる。
【００３１】
上述した本考案の封筒１０において、底面部１８を挿入部１６と印刷表示部２０との間に設けたが、宛先表示部２２及び印刷表示部２０を安定して立設できるのであれば、その位置は限定するものではない。また、封筒１０を郵送用として例にあげたが、限定するものではない。宅配物として使用してもよいし、手渡しで配布するものでもよい。配布用であれば宛先や切手が必要なくなるため、宛先表示部２２に様々な表示をすることができる。さらに、図４において窓３６に写真５０を表示させたが、特に限定するものではない。絵画やイラストなどを使用してもよい。
【図面の簡単な説明】
【００３２】
【図１】本考案の実施の形態である封筒を正面及び背面から見た平面図
【図２】本考案の実施の形態である封筒を折曲させた状態を示した斜視図
【図３】本考案の実施の形態である封筒を組立てた後、表示部の方向から見た斜視図
【図４】本考案の実施の形態である封筒を組立てた後、宛先表示部の方向から見た斜視図
【符号の説明】
【００３３】
１０…封筒、１２…開封口、１４…封印片、１６…挿入部、１８…底面部、２０…印刷表示部、２２…宛先表示部、２４…第１の折り目線、２６… 第４の折り目線、２８…第２の折り目線、３０…第３の折り目線、３２…宣伝広告、３４…カレンダー、３６…窓、３８…切手、５０…写真
【図１】
0003102504.tif 000003
【図２】
0003102504.tif 000004
【図３】
0003102504.tif 000005
【図４】
0003102504.tif 000006